(57)【要約】【課題】安価な構成で、酸素富化空気中の結露水が室内へ飛びだすのを防止する事ができる空気調和機を提供する。【解決手段】空気中の酸素濃度を高める酸素富化ユニット（図示せず）と、前記酸素富化ユニットの二次側に接続され酸素富化空気を送出する減圧ポンプ（図示せず）と、前記減圧ポンプから送出された酸素富化空気を吐出する吐出口４４を有する酸素吐出器４０とを備え、前記酸素吐出器４０は、前記吐出口４４から吹き出される酸素富化空気の吐出方向に沿って延出された遮蔽部４６を有するもので、吐出空気の風速を高め結露水を吐出口４４から排出させる際、吐出口４４から円錐状に噴き出された結露水が遮蔽部４６で遮られるので、室内側に結露水が飛び出すことを防止できる。【選択図】図２ 
2005140471.tif 000002
【特許請求の範囲】
【請求項１】
空気中の酸素濃度を高める酸素富化ユニットと、前記酸素富化ユニットの二次側に接続され酸素富化空気を送出する減圧ポンプと、前記減圧ポンプから送気流路を介して送出された酸素富化空気を吐出する吐出口を有する酸素吐出器とを備え、前記酸素吐出器は、前記吐出口から吹き出される酸素富化空気の吐出方向に沿って延出された遮蔽部を有することを特徴とする空気調和機。
【請求項２】
遮蔽部内壁と吐出口との間に段差を設けたことを特徴とする請求項１記載の空気調和機。
【請求項３】
遮蔽部の下面を傾斜させたことを特徴とする請求項１又は２記載の空気調和機。
【請求項４】
吐出口を酸素吐出器内の吸入流路より縮径に形成したことを特徴とする請求項１〜３のいずれか１項記載の空気調和機。
【請求項５】
遮蔽部の端部に吐出口に対向する遮蔽板を設けたことを特徴とする請求項１〜４のいずれか１項記載の空気調和機。
【請求項６】
酸素吐出器は送出流路の接続部と吐出口の間に空間部を有し、この空間部の下面には水抜穴を設けたことを特徴とする請求項１〜５のいずれか１項記載の空気調和機。
【発明の詳細な説明】
【技術分野】
【０００１】
本発明は、室内空気中の酸素濃度を高める酸素富化装置を備えた空気調和機に関するものである。
【背景技術】
【０００２】
従来より、酸素透過膜を用いて室内の酸素濃度を相対的に向上させる酸素富化装置を取り付けた空気調和機が提案されている。
【０００３】
分離型空気調和機の室外機に酸素富化手段を設け、その酸素が富化された空気を、送出配管を介して室内機に送り、室内側に放出して被空調空間である室内の酸素濃度を向上させて、居住者の快適性の用に供するものである。
【０００４】
一方、酸素富化膜を用いた酸素富化装置では、酸素富化膜は空気成分の大半を占める窒素と分離させ選択的に酸素を透過させるものの、現在実用化されている酸素富化膜は酸素と同時に少なくとも空気中の水分も透過させる特徴を持っている。すなわち、酸素富化膜の１次側の空気に対して、膜を透過した２次側では窒素が分離された分だけ相対的に湿度が高くなり、露点が１次側の空気に比べて上昇するため、膜の２次側配管中でしばしば結露水を発生させてしまうことが知られている。
【０００５】
その結果、結露水が室内に吹き出されることがあった。これを防止するために、酸素富化空気を供給する供給管の途中に、酸素富化空気中の水分を凝縮させる熱交換器と、前記熱交換器で凝縮された凝縮水を分離し取出すための水分離器を設けたものがあった（例えば、特許文献１参照）。
【特許文献１】特開平５−１１３２２７号公報
【発明の開示】
【発明が解決しようとする課題】
【０００６】
しかし、前記従来の構成では、高価な熱交換器、水分離器が必要で、又、それらを収納するスペースを確保するために、空気調和機の室内機が大型化するという問題があった。
【０００７】
また、冬期などに外気が零℃以下となった場合、結露水が氷結し送出配管中が詰まるのを防止するために、透過膜を通さず外気の空気を直接送出配管に送りこみ風速を高めて結露水を吐出口から排出させようとすると、吐出口から結露水が風圧により円錐状に勢いよく噴き出し室内機から室内へ結露水が飛び出してしまうという問題があった。
【０００８】
本発明は、前記従来の課題を解決するもので、安価な構成で、吐出口から結露水が噴き出した時に室内機から室内へ結露水が飛び出すことを防止することを目的とする。
【課題を解決するための手段】
【０００９】
前記従来の課題を解決するために、本発明の空気調和機は、空気中の酸素濃度を高める酸素富化ユニットと、前記酸素富化ユニットの二次側に接続され酸素富化空気を送出する減圧ポンプと、前記減圧ポンプから送出された酸素富化空気を吐出する吐出口を有する酸素吐出器とを備え、前記酸素吐出器は、前記吐出口から吹き出される酸素富化空気の吐出方向に沿って延出された遮蔽部を有するもので、吐出空気の風速を高め結露水を吐出口から排出させる際、吐出口から円錐状に噴き出された結露水が遮蔽部で遮られるので、室内側に結露水が飛び出すことを防止できる。
【発明の効果】
【００１０】
本発明の空気調和機は、安価な構成で、結露水が吐出口から噴き出したときに、室内機から結露水が飛び出すことを防止することができる。
【発明を実施するための最良の形態】
【００１１】
第１の発明は、空気中の酸素濃度を高める酸素富化ユニットと、前記酸素富化ユニットの二次側に接続され酸素富化空気を送出する減圧ポンプと、前記減圧ポンプから送出された酸素富化空気を吐出する吐出口を有する酸素吐出器とを備え、前記酸素吐出器は、前記吐出口から吹き出される酸素富化空気の吐出方向に沿って延出された遮蔽部を有するもので、吐出空気の風速を高め結露水を吐出口から排出させる際、吐出口から勢いよく噴き出された結露水が、吐出口に対して空気調和機の前面側に形成された遮蔽部で遮られるので、室内側に結露水が飛び出すことを防止できる。
【００１２】
第２の発明は、特に、第１の発明の遮蔽部の内壁と吐出口との間に段差を設けたもので、吐出された空気が遮蔽部の内面に沿って通過することを抑制でき、沿って通風するときに発生する通風音を低減することができる。
【００１３】
第３の発明は、特に、第１又は第２の発明の遮蔽部の下面を空気調和機の室内ユニットの内方側に傾斜させ、遮蔽部を伝って落ちる水滴を下方に配置されたドレンパンに確実に導くようにしたもので、吐出口から円錐状に噴き出された結露水が遮蔽部で遮られた後、内側下方に誘導されることにより室内機から結露水が飛び出すことをより確実に防止することができる。
【００１４】
第４の発明は、特に、第１〜３のいずれか１つの発明の吐出口を酸素吐出器内の吸入流路より縮径に形成したもので、吐出口から噴出す結露水の圧力が減圧されることにより、より確実に結露水が遮蔽部に遮られ、室内機から結露水が飛び出すことをより確実に防止することができる。
【００１５】
第５の発明は、特に、第１〜４のいずれか１つの発明の遮蔽部の端部に吐出口に対向する遮蔽板を設けたもので、吐出口から円錐状に噴き出した結露水が遮蔽部の端部を超えて結露水が飛び出すことを防止することができる。
【００１６】
第６の発明は、特に、第１〜５のいずれか１つの発明の酸素吐出器の下面に水抜穴を設けたもので、結露水の一部が水抜穴から排出されることにより、吐出口から噴き出す結露水の水圧が減圧され、室内機から結露水が飛び出すことをより確実に防止することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の全体構成図および室内ユニットの断面構成模式図で、図２は、同空気調和機に組み込まれた酸素吐出器の展開斜視図で、図３は同酸素吐出器の断面図である。
【００１９】
図において、空気調和機１は、室外に設置される室外ユニット１０と室内に設置される室内ユニット２０から構成され、両ユニット１０、２０は冷媒ガスが循環するように接続配管（図示せず）で接続されている。
【００２０】
室外ユニット１０には、圧縮機１１、熱交換器１２及びファン１３が設けられ、さらに
、前記圧縮機１１、熱交換器１２、ファン１３を収納する部分とは一室を隔して、酸素富化ユニット３１、減圧ポンプ３２等後述の酸素富化装置２の主な構成部材が設けられている。
【００２１】
室内ユニット２０には、ファン２１と、熱交換器２２と、室内の空気を取り入れる吸入口２４と、酸素富化装置２から送られてくる酸素が富化された空気を吐出する酸素吐出器４０と、ファン２１により吸入口２４から流入し熱交換器２２で熱交換された空気を吹き出す吹出し口２５が設けられている。
【００２２】
酸素富化装置２は、空気中の酸素能度を高める酸素富化膜（図示せず）を備えた酸素富化ユニット３１と、酸素富化ユニット３１の二次側を減圧する減圧ポンプ３２と、酸素富化ユニット３１と減圧ポンプ３２とを連通可能に連結する酸素供給主管３４と、酸素供給主管３４に接続された大気導入管３５と、減圧ポンプ３２の吐出側に接続された吐出主管３６と、大気導入管３５の途中に接続され大気導入管３５に流入する大気の量を制御する制御弁３７と、減圧ポンプ３２と制御弁３７を制御する制御装置３８を備えている。
【００２３】
４は、吐出主管３６と酸素吐出器４０とを連通接続する送風管で、室外ユニット１０から導出し室内ユニット２０内に導入されている。なお、制御弁３７は、通常の酸素富化運転時には閉じられている。
【００２４】
一方、酸素吐出器４０は、室内ユニット２０内の送風回路中で、熱交換器２２の風回路の上流側に配置され、ファン２１の運転により吹き出される送風に酸素富化空気が添加されて吹出し口２４より室内空間に送出される。なお酸素吐出器４０は、さらに熱交換器２２からの凝縮水を受ける水受け皿２３の上方に設けている。
【００２５】
次に、図２を用いて、酸素吐出器４０の詳細についてのべる。
【００２６】
酸素吐出器４０は、本体４１と、この本体４１の一方の側面を覆う本体カバー４２とより構成されている。本体４１の一端側には吸入流路４３が、他端側には吐出口４４がそれぞれ形成されている。吐出口４４は吸入流路４３より縮径されており、吸入流路４３と吐出口４４とは連通されている。
【００２７】
吸入流路４３は、本体４１の一方の側面に設けた溝４１ａと、この溝４１ａを覆う本体カバー４２によって形成される。
【００２８】
吸入流路４３の上流側端部には、送風管４の端部が挿入され固定される。また、吸入流路４３の一部には、ウレタン材などからなり、酸素富化空気の通過音を減少させるための消音材４５が挿入される消音材受部５２が設けられている。
【００２９】
５０は、本体４１の下方に向いて開口した水抜き穴で、吸入流路４３と連通すると共に吐出口４４の径より縮径されて形成されている。
【００３０】
本体カバー４２の吐出口４４側端部には、吐出口４４からの酸素富化空気の吐出方向にに沿うように設けられ、酸素富化空気に含まれる結露水が吐出方向と直交する方向に飛散するのを防止する遮蔽部４６が延設されている。また、本体カバー４２の下部には、遮蔽部４６と反対側に位置ししかも下方に傾斜した傾斜部４７が設けられている。
【００３１】
また、図３に示すように、遮蔽部４６には、吐出口４４と遮蔽部４６の内面との間に段差４８が形成され、さらに遮蔽部４６の端部には、吐出口４４に対向するように遮蔽板４９が設けられている。
【００３２】
酸素吐出器４０は、上述の様に、熱交換器２２の風回路の上流側で、水受け皿２３の上方に設けるようにしているが、その際、本体カバー４２を室内側に向け、本体４１が熱交換器２２側になるように設けている。
【００３３】
上記構成による動作、作用は以下の通りである。
【００３４】
なお、室内ユニット２０、室外ユニット１０での冷暖房運転については、一般の冷暖房運転と同一なので、その説明は省略する。
【００３５】
酸素富化空気を得るために、制御装置３８を動作させると、減圧ポンプ３２の運転が開始し、それに伴い、室外の空気が、酸素富化ユニット３１に流入し、そこで得られた酸素富化空気は、酸素供給主管３４、減圧ポンプ３２、吐出主管３６、送風管４を経て酸素吐出器４０に至り、室内ユニット２０内部で吹き出される。
【００３６】
酸素吐出器４０は、熱交換器２２の上流側に配されているので、酸素吐出器４０から吹き出された酸素富化空気は、室内ユニット２０内のファン２１の運転により、室内の空気と共に熱交換器２２に流入し、吹出し口２５から、室内に吹き出され、室内にいる人はそれを享受することができる。
【００３７】
酸素富化空気中に含まれる結露水は、酸素富化空気とともに、吐出口４４から吹き出されるが、酸素吐出器４０の本体カバー４２が室内側に面しているので、吐出口４４に沿う形で本体カバー４２の端部から延出した遮蔽部４６により結露水が室内側に飛び散る事が無く、下方に落下し水受け皿２３で回収される。
【００３８】
ところで、酸素富化運転中で外気温が所定温度（例えばＴ１＝１０℃）以下の低温になると、送風管４内で結露が発生しやすくなるので、それを排出させるために所定時間、制御装置３８で制御弁３７を動作させて、外気を大気導入管３５より直接吸い込むようにすると、減圧ポンプ３２は通気抵抗の大きい酸素富化膜を通過するのに比べてより容易に外気を取り入れ、酸素富化運転時に比べて送風管４に送る空気量が数倍ＵＰし、その勢いで、送風管４内の結露水が、酸素吐出器４０に送られ、吐出口４４から排出される。
【００３９】
また、遮蔽部４６に段差４８を形成しているので、吐出口４４より吐出された酸素富化空気が遮蔽部４６の内面に沿って通過するのを抑制するので、酸素富化空気が遮蔽部４６に沿って通風するときに発生する通風音も低減することができる。
【００４０】
また、遮蔽部４６の下面に、本体カバー４２の遮蔽部４６が延出されてない側へ傾斜した傾斜部４７を構成することで、吐出口４４から噴き出した結露水が遮蔽部４６に遮られた後、傾斜部４７を伝い室内ユニット２０の水受け皿２３に誘導され、より確実に室内機から結露水が飛び出すことを防止することができる。
【００４１】
また、吐出口４４を吸入流路４３より縮径することで、吐出口４４から噴き出す結露水の圧力が減圧され、より確実に結露水が遮蔽部４６に遮られ、室内ユニット２０から結露水が飛び出すことをより確実に防止することができる。
【００４２】
また、遮蔽部４６の端部に遮蔽板４９を構成することにより、吐出口４４から噴き出した結露水が遮蔽部４６の端部を越えて室内へ結露水が飛び出すことを防止することができる。
【００４３】
特に、制御弁３７を動作させたときは、結露水は通常の酸素富化運転時に比べて勢いよ
く吹き出されるが、遮蔽板４８により、結露水の室内側への飛散を確実に防止する事ができるものである。
【００４４】
また、酸素吐出器４０の空間部５１の下面側に水抜き穴５０を構成することにより、吐出口４４から噴き出す結露水の水圧を減圧し、結露水がより確実に遮蔽部４６に遮られ、室内機から結露水が飛び出すことを防止することができる。この場合、水抜き穴５０は吐出口４４の径より縮径することにより、酸素富化空気は吐出口４４より吐出される。
【産業上の利用可能性】
【００４５】
以上のように、本発明にかかる空気調和機は、簡単でかつ安価な構成で、室内ユニットから室内へ結露水が飛び出すことを防止することができるので、家庭用、業務用の空気調和機器に広く適用できるものである。
【図面の簡単な説明】
【００４６】
【図１】（ａ）本発明の実施の形態１にかかる空気調和機の全体構成図（ｂ）空気調和機室内ユニットの断面構成模式図
【図２】同空気調和機の酸素吐出器の展開斜視図
【図３】同酸素吐出器の断面図
【符号の説明】
【００４７】
４  送風管
１０  室外ユニット
２０  室内ユニット
２３  水受け皿
３１  酸素富化ユニット
３２  減圧ポンプ
３４  酸素供給主管
３５  大気導入管
３６  吐出主管
３７  制御弁
３８  制御装置
４０  酸素吐出器
４３  吸入流路
４４  吐出口
４５  消音材
４６  遮蔽部
４７  傾斜部
４８  段差
４９  遮蔽板
５０  水抜き穴
【図１】
2005140471.tif 000003
【図２】
2005140471.tif 000004
【図３】
2005140471.tif 000005